(57)【要約】 【課題】  緊急事態が発生した場合に詳細な情報を迅速に送信することができ、人命救助等に貢献することができる携帯機器を提供する。【解決手段】  緊急事態が発生した場合に操作部１００で設定された緊急モードにおいて撮影したサムネイル画像を表わすサムネイル画像データ，主画像を表わす主画像データを緊急撮影制御部１３２で生成して記録メディア１１０に記録しておき、操作部１００の緊急連絡ボタンが押されたことを受けて、送受信部１３３で記録メディア１１０に記録されているサムネイル画像データをまとめてＧＰＳ位置を表わす撮影データとともに送信し、次いで主画像データを送信する。【選択図】  図２
2007150683.tif 000002
【特許請求の範囲】
【請求項１】
撮影操作により被写体を撮影して画像データを得る撮影部と、前記撮影部での撮影により得られた画像データを送信する送信部とを備えた携帯機器において、
緊急モードを有し、前記送信部は、該緊急モードで撮影した１枚または複数枚の主画像のサムネイル画像を表わすサムネイル画像データをまとめて送信し、次に該１枚または複数枚の主画像を表わす主画像データを送信するものであることを特徴とする携帯機器。
【請求項２】
撮影操作により被写体を撮影して画像データを得る撮影部と、前記撮影部での撮影により得られた画像データを送信する送信部とを備えた携帯機器において、
緊急モードを有し、前記撮影部は、該緊急モードでは所定の画像サイズ以下の小画像を表わす小画像データを得る撮影を行ない、前記送信部は、該小画像データを送信するものであることを特徴とする携帯機器。
【請求項３】
緊急モード用のＩＤを記憶しておくＩＤ記憶部を有し、前記送信部は、送信しようとする画像データに緊急モードでは該ＩＤ記憶部に記憶された緊急モード用のＩＤを付して送信するものであることを特徴とする請求項１又は２記載の携帯機器。
【請求項４】
緊急モードでの画像データの送信先を記憶しておく送信先記憶部を有し、前記送信部は、緊急モードでは該送信先記憶部に記憶されている送信先に画像データを送信するものであることを特徴とする請求項１又は２記載の携帯機器。
【発明の詳細な説明】
【技術分野】
【０００１】
本発明は、撮影操作により被写体を撮影して画像データを得る撮影部と、上記撮影部での撮影により得られた画像データを送信する送信部とを備えた携帯機器に関する。
【背景技術】
【０００２】
従来より、携帯機器の一つであるデジタルカメラからの画像をネットワークを介して相手側の装置に送信するということが行なわれている。ここで、複数のデジタルカメラと複数の映像受信端末とサーバとをローカルネットワークに接続しておき、デジタルカメラに関する情報をサーバで定期的に収集して管理することにより、あるデジタルカメラから複数の映像受信端末に緊急メッセージを表わす画像が送信された場合に、そのデジタルカメラの、複数の映像受信端末からアクセスされる負担を軽減する技術が提案されている（特許文献１参照）。
【０００３】
また、携帯機器の一つである携帯電話において、緊急事態が発生した場合に通報装置から発報された緊急通報を受信して電話回線用の信号に変換し、変換した信号を、予め登録された電話番号の装置に向けて発信する技術が提案されている（特許文献２参照）。
【特許文献１】特開平１０−２１０４５０号公報
【特許文献２】特開２００２−２５２７２６号公報
【発明の開示】
【発明が解決しようとする課題】
【０００４】
緊急事態が発生した場合、デジタルカメラやカメラ付き携帯電話等の携帯機器でその場面を撮影し、撮影により得られた画像データを関連部署等に迅速に送信することにより、人命救助等に貢献するということが考えられる。この考え方を、上述した特許文献１，２に提案された技術を採用して実現しようとすると、以下のような問題がある。
【０００５】
上述した特許文献１に提案された技術において、デジタルカメラから複数の映像受信端末に送信される画像データは、緊急状態を知らせるアラームメッセージであり、このようなメッセージを関連部署等に送信するのでは、その関連部署等では緊急事態が発生した状況を詳細に把握することは困難であり、従って人命救助等に貢献する点に欠けるという問題がある。
【０００６】
また、特許文献２に提案された技術では、予め登録された電話番号の装置に、通報装置から緊急通報が発報された旨が単に発信されるのみであるため、やはり関連部署等において緊急事態が発生した状況を詳細に把握することは困難であり、従って人命救助等に貢献する点に欠けるという問題がある。
【０００７】
本発明は、上記事情に鑑み、緊急事態が発生した場合に詳細な情報を迅速に送信することができ、人命救助等に貢献することができる携帯機器を提供することを目的とする。
【課題を解決するための手段】
【０００８】
上記目的を達成する本発明の携帯機器のうちの第１の携帯機器は、撮影操作により被写体を撮影して画像データを得る撮影部と、上記撮影部での撮影により得られた画像データを送信する送信部とを備えた携帯機器において、
緊急モードを有し、上記送信部は、その緊急モードで撮影した１枚または複数枚の主画像のサムネイル画像を表わすサムネイル画像データをまとめて送信し、次にその１枚または複数枚の主画像を表わす主画像データを送信するものであることを特徴とする。
【０００９】
本発明の第１の携帯機器は、緊急モードで撮影した１枚または複数枚の主画像のサムネイル画像を表わすサムネイル画像データをまとめて送信し、次にその１枚または複数枚の主画像を表わす主画像データを送信するものであるため、緊急事態が発生した場合、関連部署等にその状況を表わす情報を迅速に且つ詳細に送信することができる。従って、関連部署等では緊急事態が発生した状況を詳細に把握することができ、人命救助等に十分に貢献することができる。
【００１０】
また、上記目的を達成する本発明の携帯機器のうちの第２の携帯機器は、撮影操作により被写体を撮影して画像データを得る撮影部と、上記撮影部での撮影により得られた画像データを送信する送信部とを備えた携帯機器において、
緊急モードを有し、上記撮影部は、その緊急モードでは所定の画像サイズ以下の小画像を表わす小画像データを得る撮影を行ない、上記送信部は、その小画像データを送信するものであることを特徴とする。
【００１１】
本発明の第２の携帯機器は、緊急モードでは所定の画像サイズ以下の小画像を表わす小画像データを得る撮影を行ない、その小画像データを送信するものであるため、緊急事態が発生した場合、関連部署等にその状況を表わす詳細な情報を迅速に送信することができる。従って、関連部署等では緊急事態が発生した状況を詳細に把握することができ、人命救助等に十分に貢献することができる。
【００１２】
ここで、本発明の第１，第２の携帯機器において、緊急モード用のＩＤを記憶しておくＩＤ記憶部を有し、上記送信部は、送信しようとする画像データに緊急モードではそのＩＤ記憶部に記憶された緊急モード用のＩＤを付して送信するものであることが好ましい。
【００１３】
このように、送信しようとする画像データに緊急モード用のＩＤを付して送信すると、そのＩＤにより緊急であることが認識され、その画像データを関連部署等に優先して送信することができる。
【００１４】
また、本発明の第１，第２の携帯機器において、緊急モードでの画像データの送信先を記憶しておく送信先記憶部を有し、上記送信部は、緊急モードではその送信先記憶部に記憶されている送信先に画像データを送信するものであることも好ましい態様である。
【００１５】
緊急モードでの送信先をあらかじめ登録しておくことにより、緊急モードで撮影した画像を表わす画像データを、送信したい相手先に迅速に送信することができる。
【発明の効果】
【００１６】
本発明によれば、緊急事態が発生した場合に詳細な情報を迅速に送信することができ、人命救助等に貢献することができる携帯機器を提供することができる。
【発明を実施するための最良の形態】
【００１７】
以下、本発明の実施の形態について説明する。
【００１８】
以下、本発明の実施の形態について図を参照して構成を説明する。
【００１９】
図１は、本発明の第１の携帯機器の一実施形態であるデジタルカメラを上方から見た上面図（図１（ａ））、正面から見た正面図（図１（ｂ））および背面から見た背面図（図１（ｃ））である。
【００２０】
このデジタルカメラ１は、撮影操作により被写体を撮影して画像データを得、得られた画像データを送信するデジタルカメラである。このデジタルカメラ１は、図１（ａ），図１（ｂ）に示すようにカメラボディ１ａの中央にレンズ鏡胴１０が配備されている。また、このカメラボディ１ａの上面にはパワーボタン１１が配備されており、このパワーボタン１１が操作されたら、図１（ａ），（ｂ）に示すようにレンズ鏡胴１０が繰出されて撮影準備が整えられるようになっている。
【００２１】
さらに、カメラボディ１ａ上面には、電源投入用のパワーボタン１１のほか、レリーズボタン１２とそのレリーズボタン１２の廻りに撮影モードダイヤル１２＿１とが配備されており、この撮影モードダイヤル１２＿１がＡＵＴＯに切り替えられているときにレリーズボタン１２が押されて撮影が行なわれるときにはデジタルカメラ１内部に自動的に撮影条件が設定されて撮影が行なわれる。また、この撮影モードダイヤル１２＿１が動画撮影モード（符号Ｍ）に切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００２２】
また、図１（ｃ）に示すように、カメラボディ１ａの背面側には、液晶モニタ１３が設けられており、撮影モード時には、この液晶モニタ１３上に被写体が表示されたり、メニューが表示されたりする。この撮影モードにあるときに液晶モニタ１３の脇にある再生ボタン１４が一度押されると、再生モードに切り替わり既撮影画像が液晶モニタ１３上に表示され、この再生ボタン１４が再度押されると、撮影モードに切り替わりスルー画像が液晶モニタ１３上に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００２３】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００２４】
また、十字キー１６やＯＫ／メニューボタン１７の操作により、セットアップメニューに切り替えて緊急モードに設定することができる。さらに、十字キー１６の下方には、液晶モニタ１３の表示を切り換えたり操作を途中でやめるときなどに使用されるＤＳＰ／ＢＡＣＫボタン２１と、緊急連絡ボタン２２が配備されている。このデジタルカメラ１では、詳細は後述するが、緊急事態が発生した場合、緊急モードに設定し、この緊急モードで撮影した１枚または複数枚の主画像のサムネイル画像を表わすサムネイル画像データを、緊急連絡ボタン２２を押すことによりまとめて外部に向けて送信し、次いで１枚または複数枚の主画像を表わす主画像データを外部に向けて送信することができる。
【００２５】
また、図１（ｂ）に示すカメラボディ１ａの正面には測光センサ１９０や閃光発光窓１９１が配備されており、閃光発光が必要な場合にはその閃光発光窓１９１から閃光が被写体に向けて発光されるようになっている。
【００２６】
図２は、図１に示すデジタルカメラの内部構成を示す図である。
【００２７】
このデジタルカメラ１には、撮影光学系１０１を構成するズームレンズ１０１ａ，フォーカスレンズ１０１ｂ，機械式シャッタ１０１ｃと、それらズームレンズ１０１ａ，フォーカスレンズ１０１ｂ，機械式シャッタ１０１ｃを駆動するズームモータ１１１，フォーカスモータ１１２，シャッタモータ１１３と、それらのモータを駆動するためのモータドライバ１２８が備えられている。
【００２８】
また、デジタルカメラ１には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００２９】
ＣＣＤ１１４は、ズームレンズ１０１ａ，フォーカスレンズ１０１ｂ，機械式シャッタ１０＿１ｃを経由してきた被写体光を捉える固体撮像素子である。このＣＣＤ１１４には、入射された被写体光を電気信号である画像信号に変換するフォトダイオード等の光電変換素子が多数個備えられている。
【００３０】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００３１】
ＭＰＵ１１６は、このデジタルカメラ１全体の制御を行なう。具体的には、ＭＰＵ１１６にはＲＯＭ１１６ａが内蔵されており、その内蔵されたＲＯＭ１１６ａのプログラムの手順にしたがってデジタルカメラ１全体の動作が制御される。
【００３２】
さらに、デジタルカメラ１には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００３３】
また、デジタルカメラ１には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１３に導くためのＶｉｄｅｏ／ＬＣＤエンコーダ１２２とが備えられている。
【００３４】
さらに、デジタルカメラ１には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを記録メディア１１０に記憶するための制御を行なうメディアコントローラ１２７と、フラッシュ発光部１９とが備えられている。
【００３５】
また、デジタルカメラ１には、ＧＰＳ位置変換部１３１と、緊急撮影制御部１３２と、送受信部１３３とが備えられている。
【００３６】
ＧＰＳ位置変換部１３１は、ＧＰＳ（Ｇｌｏｂａｌ  Ｐｏｓｉｔｉｏｎｉｎｇ  Ｓｙｓｔｅｍ）衛星からのＧＰＳ信号を受信して得られたＧＰＳ位置（現在位置）データを撮影データに変換する。
【００３７】
緊急撮影制御部１３２は、緊急事態が発生した場合に設定された緊急モードにおいて撮影した１枚または複数枚の画像それぞれについて、外部に向けて送信するために必要な情報である、後述するスタートコード，タグ，サムネイル画像，主画像を生成して、記録メディア１１０に記録する。
【００３８】
送受信部１３３には、本発明にいう送信部の一例が備えられており、この送受信部１３３は、緊急連絡ボタン２２が押されたことを受けて、記録メディア１１０に記録されている１枚または複数枚のサムネイル画像を表わすサムネイル画像データをまとめてＧＰＳ位置を表わす撮影データとともに外部に送信し、次に１枚または複数枚の主画像を表わす主画像データを外部に向けて送信する。また、この送受信部１３３は、外部からの情報を受信する。受信した情報は液晶モニタ１３に表示される。
【００３９】
尚、この図２には、前述したパワーボタン１１，レリーズボタン１２，撮影モードダイヤル１２＿１，再生ボタン１４，Ｆボタン１５，十字キー１６、ＯＫ／メニューボタン１７，ズームスイッチ１８，ＤＳＰ／ＢＡＣＫボタン２１，緊急連絡ボタン２２からなる操作部１００が示されている。
【００４０】
ここで、このデジタルカメラ１の概略動作について説明する。
【００４１】
このデジタルカメラ１の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１全体の動作がＭＰＵ１１６により制御される。また、ＳＤＲＡＭ１２５にはＲＯＭ１１６ａに記述されているプログラムの手順にしたがってＭＰＵ１１６がこのデジタルカメラ１０全体を制御しているときに、処理中の画像データが一時的に格納されたりする。
【００４２】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として液晶モニタ１３上に表示される。
【００４３】
ここで、撮影モードダイヤル１２＿１（図１参照）がＡＵＴＯに切り替えられて撮影が行なわれた場合の画像データの流れを、図２を参照して説明する。
【００４４】
撮影モードダイヤル１２＿１がＡＵＴＯに切り替えられると、ＭＰＵ１１６は撮影光学系１０１を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を液晶モニタ１３の画面上に表示させる。そのスルー画像に基づいて任意にフレーミングが行なわれ、ＡＦ検出部１２３が絶えずフォーカスレンズ１０１ｂを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいてホワイトバランス調整のためにＲ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００４５】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１１０に記録させる。このようにして、画像データの処理が行なわれる。
【００４６】
図３は、図２に示す記録メディアに記録される画像データからなる画像の構成を示す図である。
【００４７】
図３に示す画像１４０は、スタートコード領域１４０ａと、タグ領域１４０ｂと、サムネイル画像領域１４０ｃと、主画像領域１４０ｄとから構成されている。
【００４８】
スタートコード領域１４０ａには、記録メディア１１０における、画像１４０の開始位置を示す情報が格納される。
【００４９】
タグ領域１４０ｂには、フラッシュ光の発光状態を示す情報，絞りの状態を示す情報，撮影日時を示す情報等が格納される。
【００５０】
サムネイル画像領域１４０ｃには、主画像領域１４０ｄに格納される主画像の縮小画像であるサムネイル画像のデータが格納される。
【００５１】
主画像領域１４０ｄには、１Ｍサイズ以下の主画像のデータが格納される。
【００５２】
図４は、緊急撮影モードで連写撮影された５枚の画像を表わす画像データを送信する様子を示す図である。
【００５３】
ここでは、緊急撮影モードにおいて連写撮影された５枚の画像１４１，１４２,１４３，１４４，１４５を表わす画像データが記録メディア１１０に記録されているものとする。ここで、緊急連絡ボタン２２が押されると、先ず、連写撮影された５枚の画像１４１，１４２,１４３，１４４，１４５のサムネイル画像１４１ｃ，１４２ｃ,１４３ｃ，１４４ｃ，１４５ｃを表わすサムネイル画像データがＧＰＳ位置を表わす撮影データとともにまとめて送信される。次いで、画像１４１，１４２,１４３，１４４，１４５の主画像１４１ｄ，１４２ｄ,１４３ｄ，１４４ｄ，１４５ｄを表わす主画像データが送信される。
【００５４】
このデジタルカメラ１は、緊急モードで撮影した５枚のサムネイル画像１４１ｃ，１４２ｃ,１４３ｃ，１４４ｃ，１４５ｃを表わすサムネイル画像データを上記撮影データとともにまとめて送信し、次に５枚の主画像１４１ｄ，１４２ｄ,１４３ｄ，１４４ｄ，１４５ｄを表わす主画像データを送信するものであるため、緊急事態が発生した場合、関連部署等にその状況を表わす情報を迅速に且つ詳細に送信することができる。従って、関連部署等では緊急事態が発生した状況を詳細に把握することができ、人命救助等に十分に貢献することができる。以下、この人命救助のシステムについて説明する。
【００５５】
図５は、図１に示すデジタルカメラを含む人命救助システムの構成図である。
【００５６】
図５には、前述した送受信機部１３３が備えられたデジタルカメラ１と、そのデジタルカメラ１の送受信部１３３との間で無線通信を行なう近傍の中継器１５１が示されている。中継器１５１としては、民間のセキュリティシステム用の中継器や公衆回線用の中継器、あるいは無線ＬＡＮを使用したパーソナルコンピュータ（ＰＣ）等がある。
【００５７】
また、図５には、中継器１５１の近傍に存在し、この中継器１５１との間で無線通信を行なう携帯電話１５２、デジタルカメラ１５３、ビデオカメラ１５４、およびこの中継器１５１との間で有線通信を行なうＰＣ１５５が示されている。
【００５８】
さらに、図５には、中継器１５１との間で有線通信もしくは無線通信を行なう緊急受取部署１５６が示されている。緊急受取部署１５６としては、最寄の警察署や消防署がある。
【００５９】
また、図５には、中継器１５１との間で有線通信もしくは無線通信を行なうとともに、中継器１５１からの情報を緊急受取部署１５６に有線もしくは無線で通信する救急センタ１５７が示されている。救急センタ１５７としては、警備会社等がある。
【００６０】
図６は、図５に示す人命救助システムの、緊急事態やトラブルが発生した場合の対応フローを示す図である。
【００６１】
緊急事態やトラブルが発生すると、その場所がデジタルカメラ１で撮影されて画像データとして記録される。ここで、デジタルカメラ１に備えられた緊急連絡ボタン２２を押すことにより、デジタルカメラ１に記録されたサムネイル画像を表わすサムネイル画像データ，ＧＰＳ位置を表わす撮影データおよび主画像を表わす主画像データが、中継器１５１を経由して緊急受取部署１５６，救急センタ１５７,近傍の携帯電話１５２等に送信される。
【００６２】
緊急受取部署１５６，救急センタ１５７,近傍の携帯電話１５２等では、緊急事態やトラブルが発生した場所の画像を表わす画像データが送信されるため、その場所における詳細な情報を把握することができ、緊急受取部署１５６である最寄の警察署や消防署の署員がその場所に適切な器材を用意して駆けつけることができる。また、緊急受取部署１５６から中継器１５１を経由して近傍の携帯電話１５２等の所有者に連絡することができる。
【００６３】
さらに、救急センタ１５７では、その場所に警備会社の警備員等を出勤させるとともに、緊急受取部署１５６に連絡することができる。また、近傍の携帯電話１５２等の所有者はその場所に駆けつけて手助けを行なうことができる。このようにして、人命救助等に貢献することができる。
【００６４】
図７は、本発明の第２の携帯機器の第１実施形態であるデジタルカメラを上方から見た上面図（図１（ａ））、正面から見た正面図（図１（ｂ））および背面から見た背面図（図１（ｃ））である。
【００６５】
尚、図１に示すデジタルカメラ１の構成要素と同じ構成要素には同一の符号を付し、異なる点について説明する。
【００６６】
図７に示すデジタルカメラ２は、図１に示すデジタルカメラ１と比較し、緊急連絡ボタン２２（図１（ｃ）参照）が、この図７（ｃ）に示す緊急撮影モードボタン２３に置き換えられている点が異なっている。
【００６７】
この緊急撮影モードボタン２３の操作により緊急撮影モード（本発明にいう緊急モードに相当）に設定される。この緊急撮影モードでは、所定の画像サイズ以下の小画像を得る撮影が行なわれる。
【００６８】
図８は、図７に示すデジタルカメラの内部構成を示す図である。
【００６９】
尚、図２に示すデジタルカメラ１の構成要素と同じ構成要素には同一の符号を付し、異なる点について説明する。
【００７０】
図８に示すデジタルカメラ２は、図７に示すデジタルカメラ１と比較し、緊急撮影制御部１３２が緊急撮影制御部２３２に置き換えられている点が異なっている。
【００７１】
緊急撮影制御部２３２は、緊急事態が発生した場合に設定された緊急撮影モードにおいて所定の画像サイズ以下の小画像（１Ｍサイズの画像）を得るように設定し、設定された１Ｍサイズで撮影した小画像を表わす小画像データを記録メディア１１０に記録する。
【００７２】
送受信部１３３は、記録メディア１１０に記録されている小画像データを、ＧＰＳ位置を表わす撮影データと一緒に外部に送信するとともに、外部からの情報を受信する。
【００７３】
図９は、図７、図８に示すデジタルカメラの緊急撮影モードボタンが押されると起動する処理ルーチンのフローを示す図である。
【００７４】
緊急撮影モードボタンが押されると、この処理ルーチンが起動する。先ず、ステップＳ１１において、緊急撮影モードに設定する。次に、ステップＳ１２において、１Ｍサイズに設定する。
【００７５】
ステップＳ１３では、撮影が行なわれたか否かが判定される。撮影が行なわれていないと判定された場合はこのステップＳ１３を繰り返し実行する。一方、撮影が行なわれたと判定された場合はステップＳ１４に進む。
【００７６】
ステップＳ１４では、１Ｍサイズで撮影してメモリ（記録メディア１１０）に記録する。さらに、ステップＳ１５において、公衆回線に向けて、１Ｍサイズの画像を表わす画像データを、ＧＰＳ位置を表わす撮影データとともに送信してこの処理を終了する。
【００７７】
図１０は、本発明の第２の携帯機器の第２実施形態である携帯電話の表面を示す外観斜視図（図１０（ａ））および裏面を示す外観斜視図（図１０（ｂ））である。
【００７８】
図１０に示す携帯電話３は、上部２０１０と下部２０２０とからなる折り畳み式の携帯電話である。
【００７９】
上部２０１０には、図１０（ａ）に示すように、画像表示装置２１００と、スピーカからの音声を放つための送話口２０１２と、アンテナ２０１３とが備えられている。また、上部２０１０には、図１０（ｂ）に示すように、撮影レンズ２０１４が備えられている。
【００８０】
一方、下部２０２０には、図１０（ａ）に示すように、各種の操作ボタン２０２１＿１，２０２１＿２からなる操作部２０２１と、話者の声をマイクロホンに伝えるための受話口２０２２が設けられている。また、下部２０２０には、前述した緊急撮影モードボタン２３（図７（ｃ）参照）と同じ役割を担う緊急撮影モードボタン２０２３が備えられている。
【００８１】
図１１は、図１０に示す携帯電話の内部の概略構成を示すブロック図である。
【００８２】
この携帯電話３には、撮影レンズ２０１４と、ＣＣＤ固体撮像素子２０３１が備えられている。
【００８３】
また、この携帯電話３には、ＣＣＤ固体撮像素子２０３１で得られた画像信号を入力して、利得調整、Ａ／Ｄ変換、ホワイトバランス補正、ガンマ補正等の各種画像処理を行なう画像処理部２０３２が備えられている。
【００８４】
さらに、この携帯電話３には、図１０に示す画像表示装置２１００が備えられている。      
【００８５】
また、この携帯電話３には、記録部２０３３が備えられており、画像処理部２０３２における、さらに圧縮処理の行なわれた画像信号が送られてその記録部２０３３に配備された画像メモリ（図示せず）に画像信号が記録される。
【００８６】
さらに、この携帯電話３には、図１０にも示す、多数の操作ボタンが配列されそれらの操作ボタンの操作の検出が行なわれる操作部２０２１、および主制御部２０３４が備えられており、この操作部２０２１における操作ボタンの操作状態に基づいて、画像処理部２０３２、記録部２０３３、画像表示装置２１００、および後述する通信部２０３５の動作を主制御部２０３４で制御する。
【００８７】
この図１１に示すマイクロホン２０３６は、図１０に示す受話口２０２２の内側の位置に配備されていて話者の声をピックアップするものであり、スピーカ２０３７は、図１０に示す送話口２０１２の内側に配備されていて、電話の相手から送られてきた音声を発するものである。
【００８８】
通信部２０３５には、後述する本発明にいう送信部の一例が備えられており、この通信部２０３５は、マイクロホン２０３６とスピーカ２０３７、さらに図１０にも示すアンテナ２０１３に接続され、主制御部２０３４の制御を受けて、電話のための通信を担当している。この通信部２０３５はいわゆる電子メールの送受信も担当するが、本発明の特徴とは直接な関係がないため電話や電子メールの機能についてはこれ以上の詳細説明は省略する。
【００８９】
また、この携帯電話３には、ＧＰＳ位置制御部２２００と、緊急撮影制御部２３００と、ＩＤ記憶部２４００と、送信先記憶部２５００とが備えられている。
【００９０】
ＧＰＳ位置変換部２２００は、ＧＰＳ衛星からのＧＰＳ信号を受信して得られたＧＰＳ位置（現在位置）データを撮影データに変換する。
【００９１】
緊急撮影制御部２３００は、緊急事態が発生した場合に設定された緊急撮影モードにおいて所定の画像サイズ以下の小画像を得るように設定し、設定された画像サイズで撮影した小画像を表わす小画像データを記録部２０３３に記録する。
【００９２】
ＩＤ記憶部２４００には、後述する緊急用のＩＤが記憶される。
【００９３】
送信先記憶部２５００には、緊急撮影モード（本発明にいう緊急モードの一例に相当）での画像データの送信先が記憶される。
【００９４】
ここで、通信部２０３５は、緊急撮影モードでは、記録部２０３３に記録されている小画像データを、ＧＰＳ位置を表わす撮影データと一緒に外部に送信するとともに、送信しようとする画像データにＩＤ記憶部２４００に記憶された緊急モード用のＩＤを付して送信する。さらに、この通信部２０３５は、緊急撮影モードでは、送信先記憶部２５００に記憶されている送信先に画像データを送信する。
【００９５】
図１２は、図１０、図１１に示す携帯電話で送信される送信パケットの構成例を示す図である。
【００９６】
図１２には、ｎ個の送信パケット３＿１，３＿２，…，３＿ｎが示されており、送信パケット３＿１，３＿２，…，３＿ｎの順に送信される。
【００９７】
送信パケット３＿１は、このパケットの始まりを示すデータであるＳＯＦと、緊急モード用の認識番号を示すデータである第１のＩＤ１と、緊急事態やトラブルが発生した時点における第１の画像データＡと、その画像データＡのサムチェックデータと、このパケットの終わりを示すデータであるＥＯＦとから構成されている。
【００９８】
また、送信パケット３＿２は、このパケットの始まりを示すデータであるＳＯＦと、第２のＩＤ２と、緊急事態やトラブルが発生した時点における第２の画像データＢと、その画像データＢのサムチェックデータと、このパケットの終わりを示すデータであるＥＯＦとから構成されている。
【００９９】
以下、同様であり、送信パケット３＿ｎは、このパケットの始まりを示すデータであるＳＯＦと、第ｎのＩＤｎと、緊急事態やトラブルが発生した時点における第ｎの画像データＮと、その画像データＮのサムチェックデータと、このパケットの終わりを示すデータであるＥＯＦとから構成されている。
【０１００】
この携帯電話３では、図１２に示すように、緊急撮影モードでは、送信しようとする画像データに緊急モード用のＩＤが付加された送信パケットが、送信先記憶部２５００に記憶されている送信先に送信される。このようにすることにより、地震等が発生して電話がつながりにくい状態であっても、この送信パケットを送信先に優先して送信することができる。尚、優先順位は、ＩＤによって識別することができ、ここでは、ＩＤ１の優先順位が一番高く、以下ＩＤ２，…，ＩＤｎの順に低くなるものとする。
【０１０１】
尚、ここでは、携帯電話にＩＤ記憶部と送信先記憶部とを備えた例で説明したが、デジタルカメラにＩＤ記憶部と送信先記憶部とを備えてもよい。また、携帯電話あるいはデジタルカメラに、これらＩＤ記憶部および送信先記憶部のいずれか一方を備えてもよい。
【０１０２】
また、本実施形態では、デジタルカメラや携帯電話の例で説明したが、これらに限られるものではなく、本発明は、撮影操作により被写体を撮影して画像データを得る撮影部と、上記撮影部での撮影により得られた画像データを送信する送信部とを備えた携帯機器であればよい。
【図面の簡単な説明】
【０１０３】
【図１】本発明の第１の携帯機器の一実施形態であるデジタルカメラを上方から見た上面図、正面から見た正面図および背面から見た背面図である。
【図２】図１に示すデジタルカメラの内部の構成を示す構成ブロック図である。
【図３】図２に示す記録メディアに記録される画像データからなる画像の構成を示す図である。
【図４】緊急撮影モードで連写撮影された５枚の画像を表わす画像データを送信する様子を示す図である。
【図５】図１に示すデジタルカメラを含む人命救助システムの構成図である。
【図６】図５に示す人命救助システムの、緊急事態やトラブルが発生した場合の対応フローを示す図である。
【図７】本発明の第２の携帯機器の第１実施形態であるデジタルカメラを上方から見た上面図、正面から見た正面図および背面から見た背面図である。
【図８】図７に示すデジタルカメラの内部構成を示す図である。
【図９】図７、図８に示すデジタルカメラの緊急撮影モードボタンが押されると起動する処理ルーチンのフローを示す図である。
【図１０】本発明の第２の携帯機器の第２実施形態である携帯電話の表面を示す外観斜視図および裏面を示す外観斜視図である。
【図１１】図１０に示す携帯電話の内部の概略構成を示すブロック図である。
【図１２】図１０、図１１に示す携帯電話で送信される送信パケットの構成例を示す図である。
【符号の説明】
【０１０４】
１，２，１５３  デジタルカメラ
１ａ  カメラボディ
３，１５２  携帯電話
３＿１，３＿２，…，３＿ｎ  送信パケット
１０  レンズ鏡胴
１１  パワーボタン
１２  レリーズボタン
１２＿１  撮影モードダイヤル
１３  液晶モニタ
１４  再生ボタン
１５  Ｆボタン
１６  十字キー
１７  ＯＫ／メニューボタン
１８  ズームスイッチ
１９  フラッシュ発光部
２２  緊急連絡ボタン
２３，２０２３  緊急撮影モードボタン
１００  操作部
１０１  撮影光学系
１０１ａ  ズームレンズ
１０１ｂ  フォーカスレンズ
１０１ｃ  機械式シャッタ
１１０  記録メディア
１１１  ズームモータ
１１２  フォーカスモータ
１１３  シャッタモータ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２３  ＡＦ検出部
１２４  ＡＥ＆ＡＷＢ検出部
１２５  メモリ（ＳＤＲＡＭ）
１２６  ＶＲＡＭ
１２７  メディアコントローラ
１２８  モータドライバ
１３１，２２００  ＧＰＳ位置変換部
１３２，２３２，２３００  緊急撮影制御部
１３３  送受信部
１４０，１４１，１４２，１４３，１４４，１４５  画像
１４０ａ  スタートコード領域
１４０ｂ  タグ領域
１４０ｃ  サムネイル画像領域
１４０ｄ  主画像領域
１４１ｃ，１４２ｃ,１４３ｃ，１４４ｃ，１４５ｃ  サムネイル画像
１４１ｄ，１４２ｄ,１４３ｄ，１４４ｄ，１４５ｄ  主画像
１５１  中継器
１５４  ビデオカメラ
１５５  パーソナルコンピュータ（ＰＣ）
１５６  緊急受取部署
１５７  救急センタ
２０１０  上部
２０１２  送話口
２０１３  アンテナ
２０２０  下部
２０２１  操作部
２０２１＿１，２０２１＿２  操作ボタン
２０２２  受話口
２０３１  ＣＣＤ固体撮像素子
２０３２  画像処理部
２０３３  記録部
２０３４  主制御部
２０３５  通信部
２０３６  マイクロホン
２０３７  スピーカ
２４００  ＩＤ記憶部
２５００  送信先記憶部
【図１】
2007150683.tif 000003
【図２】
2007150683.tif 000004
【図３】
2007150683.tif 000005
【図４】
2007150683.tif 000006
【図５】
2007150683.tif 000007
【図６】
2007150683.tif 000008
【図７】
2007150683.tif 000009
【図８】
2007150683.tif 000010
【図９】
2007150683.tif 000011
【図１０】
2007150683.tif 000012
【図１１】
2007150683.tif 000013
【図１２】
2007150683.tif 000014